(57)【要約】【課題】この発明は通気性を高めることで根の張りを強くして生育の促進を図ることができるようにしたラン栽培用植木鉢を提供することにある。【解決手段】  ランを栽培するための植木鉢であって、  周壁３に通気孔３ａが形成された外容器２と、周壁１２に通気孔１２ａが形成されているとともに外周面と外容器の内周面との間に空間部１８を有して外容器に収容保持された少なくとも第１の内容器１１とを具備する。【選択図】      図１
2006042725.tif 000002
【特許請求の範囲】
【請求項１】
ランを栽培するための植木鉢であって、
周壁に第１の通気孔が形成された外容器と、
周壁に第２の通気孔が形成されているとともに外周面と上記外容器の内周面との間に空間部を有して上記外容器に収容保持された少なくとも１つの内容器と
を具備したことを特徴とするラン栽培用植木鉢。
【請求項２】
ランを栽培するための植木鉢であって、
周壁に第１の通気孔が形成された外容器と、
外形寸法の異なる周壁を有し、各周壁に第２の通気孔が形成され互いの周壁の内周面と外周面との間に空間部を有する入れ子状態で、上記外容器に収容保持された複数の内容器と
を具備したことを特徴とするラン栽培用植木鉢。
【発明の詳細な説明】
【技術分野】
【０００１】
この発明はランを栽培するためのラン栽培用植木鉢に関する。
【背景技術】
【０００２】
近時、繁殖技術の向上などによって種々のランが比較的安価に入手できるようになってきた。そのため、各家庭でランを室内で栽培することが多くなってきている。ランを栽培するに当たっては、ランのそれぞれの種類に応じた栽培環境を十分に理解した上で、各家庭で栽培環境を管理しないと、良好な育成を望むことができない。
【０００３】
ランの栽培環境では、温度、湿度、光線、通気、肥料などが重要な要因となる。これらの要因はランの種類によって差異があるものの、温度は比較的高い温度が好まれ、とくに冬季は夜間であっても１０℃以上の温度が要求される種類のランが多い。
【０００４】
湿度は６０〜８０％で、とくに暖房などによって室内が乾燥する冬季は湿度を高めることが要求され、光線は一日のうち６時間位当てることが必要で、通気は良好なことが必要である。とくに、根の部分の通気が悪い場合には根の成長が阻害されるため、根の張り具合が弱くなったり、根腐れを招く原因となる。灌水は、乾季の休眠時に与えすぎると、根腐れを起こしやすくなり、肥料は水捌けのよい鉢では多くやる方がよいなどのことがある。
【０００５】
従来、各家庭でランを栽培する場合、上述した栽培環境の各要因のうち、植木鉢に植えられたランの根腐れを防止するため、通気性及び排水性に優れ、しかも保水性を有する培養土として、たとえば水ゴケやオスマンダ（シダ科植物の根）などの天然の材料をそのまま用いたり、杉や桧などの樹皮をベースにして所定の大きさの礫状に形成したものなどが用いられている。
【発明の開示】
【発明が解決しようとする課題】
【０００６】
上述した培養土は良好な通気性及び排水性、さらには適度な保水性を有することが知られているから、ランの栽培には適している。しかしながら、ランの栽培に好適する培養土を用いても、ランを植えるための植木鉢としては合成樹脂や素焼きによって形成されたものが用いられていた。
【０００７】
合成樹脂製の植木鉢は周壁の通気性が全くないため、灌水などに十分な注意を払わないと、根腐れが生じ易いということがある。これに対して素焼きの植木鉢は、合成樹脂製のものに比べて通気性があるとされているものの、それでも周壁の通気性は十分でない。そのため、素焼きの植木鉢を用いても、合成樹脂製の植木鉢を用いた場合と同様、灌水に注意を怠ると、根腐れが生じるということがある。しかも、通気性が全くなかったり、ほとんどない合成樹脂製や素焼きの植木鉢を用いると、強い状態で根が張りにくいため、育成状態が悪くなるということがある。
【０００８】
この発明は、植木鉢に十分な通気性を持たせることで、根腐れを生じさせることなく、良好に育成することができるようにしたラン栽培用植木鉢を提供することにある。
【課題を解決するための手段】
【０００９】
この発明は、ランを栽培するための植木鉢であって、
周壁に第１の通気孔が形成された外容器と、
周壁に第２の通気孔が形成されているとともに外周面と上記外容器の内周面との間に空間部を有して上記外容器に収容保持された内容器と
を具備したことを特徴とするラン栽培用植木鉢にある。
【００１０】
この発明は、ランを栽培するための植木鉢であって、
周壁に第１の通気孔が形成された外容器と、
外形寸法の異なる周壁を有し、各周壁に第２の通気孔が形成され互いの周壁の内周面と外周面との間に空間部を有する入れ子状態で、上記外容器に収容保持された複数の内容器と
を具備したことを特徴とするラン栽培用植木鉢にある。
【発明の効果】
【００１１】
この発明によれば、植木鉢を外容器と内容器とから構成し、各容器に通気孔を形成したため、これらの通気孔によってきわめて良好な通気性が得られるばかりか、その通気性によって内容器に植えられるランの根が内容器の通気孔を通ってしっかりと張ることができるため、育成の促進を図ることができる。
【発明を実施するための最良の形態】
【００１２】
以下、この発明の一実施の形態を図面を参照して説明する。
【００１３】
図１に示すこの発明のラン栽培用植木鉢１は外容器２を備えている。この外容器２は上面が開口した円筒状をなしていて、周壁３には第１の通気孔としての多数の通気孔３ａが穿設されている。外容器２の底壁４には排水孔４ａが形成され、周壁３の上端には第１の保持手段としてのフランジ５が径方向外方に向かって設けられている。
【００１４】
このフランジ５には、図２と図３に示すように径方向内方の部分が外方の部分よりも低くなる段部６が形成されているとともに、この段部６には周方向に所定間隔で複数、この実施の形態では周方向に１８０度間隔で２つの係止孔７が形成されている。さらに、フランジ５には、段部６及び段部６よりも径方向外方の部分にそれぞれ複数、今実施の形態ではそれぞれ６つの通水孔７ａが周方向に等間隔で穿設されている。
【００１５】
上記外容器２内には第１の内容器１１が収容保持され、この第１の内容器１１内には第２の内容器２１が収容保持されている。すなわち、外容器２内には、以下に説明するような構造によって第１の内容器１１と第２の内容器２１とが入れ子状態で順次収容保持されている。
【００１６】
すなわち、第１の内容器１１と第２の内容器２１とは、上記外容器２とほぼ相似形状をなしている。上記第１の内容器１１は、外容器２の周壁３よりも小径な円筒状の周壁１２を有し、この周壁１２には第２の通気孔としての複数の通気孔１２ａが穿設されている。第１の内容器１１の底壁１３には排水孔１３ａが穿設され、周壁１２の上端には第２の保持手段としてのフランジ１４が径方向外方に向かって延出されている。このフランジ１４の外形寸法は上記外容器２のフランジ５の段部６の外形寸法よりもわずかに小さく設定されている。
【００１７】
上記第１の内容器１１のフランジ１４には、図２と図３に示すように径方向内方の部分が外方の部分よりも低くなる段部１５が形成されているとともに、この段部１５には周方向に所定間隔で複数、この実施の形態では周方向に１８０間隔で２つの係止孔１６が形成されている。
【００１８】
さらに、フランジ１４には、段部１５及び段部１５よりも径方向外方の部分に、それぞれ複数である、６つの通水孔１６ａが周方向において上記外容器２のフランジ５に形成された通水孔７ａと対応する位置に穿設されている。上記フランジ１４の上記段部１５よりも径方向外方の部分の下面には、外容器２のフランジ５に穿設された一対の係止孔７に嵌合する一対の係止ピン１７が突設されている。
【００１９】
それによって、上記外容器２内に第１の内容器１１を落し込み、係止ピン１７を外容器２の係止孔７に嵌合させれば、この第１の内容器１１は外容器２内に周方向に回転不能な状態で、しかも周壁１２及び底壁１３がなす外面と外容器２の内面との間に第１の空間部１８を形成して収容保持されることになる。その状態で、第１の空間部１８の上端面は第１の内容器１１のフランジ１４によって閉塞されるが、そのフランジ１４に形成された通水孔１６ａが上記第１の空間部１８の上端面を外部に連通する。
【００２０】
上記第２の内容器２１は、第１の内容器１１よりも小径な周壁２２を有し、この周壁２２には第２の通気孔としての複数の通気孔２２ａが穿設されている。第２の内容器２１の底壁２３には排水孔２３ａが穿設され、周壁２２の上端にはフランジ２４が径方向外方に向かって延出されている。このフランジ２４の外形寸法は上記第１の内容器１１のフランジ１４の段部１５の外形寸法よりもわずかに小さく設定されている。
【００２１】
上記第２の内容器２１のフランジ２４には、図２と図３に示すように径方向内方の部分が外方の部分よりも低くなる段部２５が形成されているとともに、上記フランジ２４の上記段部２５よりも径方向外方の部分の下面には、第１の内容器１１のフランジ１４に穿設された一対の係止孔１６に嵌合する一対の係止ピン２７が突設されている。
【００２２】
さらに、フランジ２４には段部２５及び段部２５よりも外側の部分にそれぞれ複数である、６つの通水孔２６が形成されている。これらの通水孔２６は、第１の内容器１１のフランジ１４に形成された通水孔１６ａと周方向において対応する位置に形成されている。
【００２３】
それによって、上記第１の内容器１１内に第２の内容器２１を落し込み、係止ピン２７を第１の内容器１１のフランジ１４に形成された係止孔１６に嵌合させれば、この第２の内容器２１は第１の内容器１１内に周方向に回転不能な状態で、しかも周壁２２及び底壁２３がなす外面と第１の内容器１１の内面との間に第２の空間部２８を形成して収容保持されることになる。
【００２４】
すなわち、外容器２に対して入れ子状態で収容保持された第１の内容器１１と第２の内容器２１とは、互いのフランジ５，１４，２４の係合によって高さ方向に位置決めされ、しかも係合孔７，１６と係止ピン１７，２７との嵌合によって周方向に回転不能に保持されている。
【００２５】
この状態で、第１の空間部１８の上端面は第１の内容器１１のフランジ１４の段部１５に形成された通水孔１６ａ及びこの通水孔１６ａに対向する第２の内容器２１のフランジ２４の段部２５よりも外側の部分に形成された通水孔２６を通じて外部に開放されるまた、第２の空間部２８の上端面は、第２の内容器２１のフランジ２４の段部２５に形成された通水孔２６を通じて大気に開放される。したがって、第１、第２の空間部１８，２８には上記通水孔１６ａ，２６を通じて灌水することができるようになっている。
【００２６】
上記第１の空間部１８、第２の空間部２８及び第２の内容器２１の内部にはそれぞれ培養土３１が収容される。培養土３１としてこの実施の形態では、杉や桧などの樹皮をベースにして所定の大きさの礫状に形成されたものが用いられている。
【００２７】
培養土３１が収容された第２の内容器２１にはラン３２が植えられる。ラン３２の種類は限定されるものでなく、東洋ラン、西洋ラン、野生ランなどいずれの種類であっても差し支えない。
【００２８】
上述した構造のラン栽培用植木鉢１によれば、外容器２及びこの外容器２内に入れ子状態で順次収容保持された第１の内容器１１と第２の内容器２１との周壁３，１２，２２にはそれぞれ通気孔３ａ，１２ａ，２２ａが形成されている。そのため、植木鉢１はラン３２が植えられた第２の内容器２１の内部と外容器２の外部とが通気孔３ａ，１２ａ，２２ａを通じて連通状態にあるから、ラン３２の根３２ａに対して良好な通気性を呈することになる。
【００２９】
しかも、外容器２と第１の内容器１１との間には第１の空間部１８が確保され、第１の内容器１１と第２の内容器２１との間には第２の空間部２８が確保されているから、これらの空間部１８，２８によっても植木鉢１全体の通気性、つまりラン３２が植えられた第２の内容器２１内の通気性が向上する。
【００３０】
ラン３２の根３２ａの部分の通気状態が良好であると、ラン３２の根３２ａは根腐れせずに生育する。生育した根３２ａは第２の内容器２１の周壁２２に形成された通気孔２２ａを通って第２の空間部２８に延び、さらに第１の内容器１１の周壁１２の通気孔１２ａを通って第１の空間部１８に延びる。第２、第１の空間部２８，１８にはそれぞれ培養土３１が収容されている。そのため、ラン３２の根３２ａはこれらの空間部２８，１８でも確実に根を張ることができる。
【００３１】
なお、第１の空間部１８で成長した根３２ａは外容器２の周壁３に形成された通気孔３ａから外部へ張り出すこともあるが、そのことはとくにラン３２の生育に悪影響を及ぼすことはない。
【００３２】
このように、植木鉢１の通気性が良好であると、根３２ａの発育がよい。そのため、根３２ａは第２の内容器２１内から第２の空間部２８や第１の空間部１８に延び、強く張ることになる。根３２ａの張りが強くなれば、ラン３２の成長も促進されることになるから、充実した株を作ることが可能となる。
【００３３】
外容器２に収容された第１の内容器１１は、そのフランジ１４に設けられた係止ピン１７が外容器２のフランジ５に設けられた係止孔７に嵌合し、回転方向に動くのが阻止されている。さらに、第１の内容器１１に収容された第２の内容器２１は、そのフランジ２４に設けられた係止ピン２７が第１の内容器１１のフランジ１４に形成された係止孔１６に嵌合し、回転方向に動くのが阻止されている。
【００３４】
しかも、第１の内容器１１は外容器２のフランジ５の段部６に係合載置され、第２の内容器２１は第１の内容器１１のフランジ１４の段部１５に係合載置されているから、これらの係合によって外容器２に対して第１、第２の内容器１１，２１が所定の高さで確実に保持される。
【００３５】
したがって、これらのことにより、外容器２に対して第１、第２の内容器１１，２１がずれ動くのが防止されるから、第２の内容器２１に植えられたラン３２に余計な負荷が掛かるのを防止することができる。つまり、ラン３２の根付きが十分でない状態で、そのラン３２が動かされるようなことがなくなるから、そのことによってラン３２の成長を促進させることができる。
【００３６】
第２の内容器２１は第1の内容器１１に対して着脱可能であり、第1の内容器１１は外容器２に対して着脱可能である。そのため、育成するラン３２の株が大きく、第２の内容器２１の大きさでは小さい場合には、第１の内容器１１から第２の内容器２１を取り外し、その株を第１の内容器１１に植えることができる。
【００３７】
ラン３２の株が第１の内容器１１の大きさでも小さい場合には、外容器２から第１の内容器１１を取り外し、その株を外容器２に直接植えることもできる。外容器２内に内容器がないと、外容器２内に内容器を設けた場合のように空間部を確保できなくなるから、その分、通気性が低下することになる。
【００３８】
しかしながら、外容器２の周壁３にも通気孔３ａが形成されているから、その通気孔３ａによってある程度の通気性を確保することができる。したがって、通気孔３ａによる通気性によって根３２ａの成長を著しく阻害したり、根腐れを招くなどのことなく、ラン３２を育成することができる。
【００３９】
また、第２の内容器２１に植えたラン３２が成長してきたならば、外容器２をさらに大きな外容器（図示せず）に収容保持するようにしてもよい。それによって、ラン３２は、元の外容器２の通気孔３ａを通って新たな外容器に根を張ることができるから、植え替えをせずに成長させることができる。この場合、図示しないが、外容器２のフランジ５に係止ピンを設け、この外容器が収容されるさらに大きな外容器には上記係止ピンが係合する係止孔を形成しておけばよい。
【００４０】
元の外容器２を新たな外容器内に収容保持したとき、これらの間に形成される空間部の上端面は、元の外容器２のフランジ５の段部６に形成された通水孔７ａによって外部に開放するから、その通水孔７ａから空間部内に灌水することができる。
【００４１】
外容器２に第１、第２の内容器１１，２１を入れ子状態で収容保持したことで、各空間部１８，２８に培養土３１を確実に固定した状態で詰め込むことができる。空間部１８，２８に培養土３１を詰め込んでも、各容器２，１１，２１の周壁に形成された通気孔３ａ，１２ａ，２２ａが培養土３１によって埋まることはほとんどないから、通気性を十分に確保することが可能である。
【００４２】
なお、各容器のフランジの形成される通水孔７ａ，１６ａ，２６を周方向に沿って細長く形成しておけば、これらの通水孔から各容器間の空間部１８，２１に培養土３１を容易に詰め込むことが可能となる。
【００４３】
この発明は上記一実施の形態に限定されず種々変形可能である。たとえば、外容器２に対して第１の内容器１１を高さ方向に位置決めし、かつ周方向に回転不能に保持するためには、図４（ａ），（ｂ）に示す構造を適用してもよい。
【００４４】
すなわち、第１の内容器１１の底壁１３の下面には断面形状がＬ字状の複数、たとえば周方向に所定間隔で３〜４個の係合部材４１（１つのみ図示）を設ける。一方、外容器２の底壁４の上面には所定の高さを有する逆Ｌ字状の支持部材４２を設ける。
【００４５】
そして、図４（ａ）に示すように、外容器２内に第１の内容器１１を落し込み、この第１の内容器１１を矢印で示す方向に回転させることで、図４（ｂ）に示すように上記係合部材４１を支持部材４２に係合させることができる。
【００４６】
それによって、第１の内容器１１は外容器２に対して支持部材４２の高さに応じた所定の高さで、しかも外容器２から抜け出ることなく保持することができる。また、図示しないが、同様に、第１の内容器１１に対しても、第２の内容器２１を所定の高さで抜出不能に保持することができる。
【００４７】
また、上記一実施の形態では外容器内に２つの内容器を入れ子状態で設ける場合について説明したが、外容器内には内容器を１つだけ設けるようにしたり、３つ以上設けるようにしてもよく、その数は限定されるものでない。
【００４８】
なお、この発明は、上記各実施の形態によって以下に付記する発明の形態が考えられる。
【００４９】
第１の形態は、ランを栽培するための植木鉢であって、
上記ランを植えるための外容器を有し、この外容器の周壁には複数の通気孔が形成されている。
【００５０】
第２の形態は、ランを栽培するための植木鉢であって、
周壁に通気孔が形成された外容器と、
周壁に通気孔が形成されているとともに外周面と上記外容器の内周面との間に空間部を有して上記外容器に収容保持された少なくとも１つの内容器とを具備し、  
上記外容器には上記内容器を移動不能に保持する保持手段が設けられている。
【００５１】
第３の形態は、上記保持手段は、外容器の周壁の上端に設けられ係合孔が穿設された第１のフランジと、内容器の周壁の上端に設けられ上記第１のフランジに係合載置されるとともに上記係合孔に嵌合する係止ピンが設けられた第２のフランジとによって構成されている。
【図面の簡単な説明】
【００５２】
【図１】この発明の一実施の形態を示すラン栽培用植木鉢の縦断面図。
【図２】上記植木鉢の分解斜視図。
【図３】外容器に対して複数の内容器を収容保持した状態の要部を拡大した断面図。
【図４】この発明の他の実施の形態の保持手段を示す断面図。
【符号の説明】
【００５３】
２…外容器、３，１２，２２…周壁、３ａ，１２ａ，２２ａ…通気孔、５，１４，２４…フランジ、７，１６…係止孔、１１…第１の内容器、１８…第１の空間部、２１…第２の内容器、２８…第２の空間部、３１…培養土、３２…ラン。
【図１】
2006042725.tif 000003
【図２】
2006042725.tif 000004
【図３】
2006042725.tif 000005
【図４】
2006042725.tif 000006